【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
マスタクロックを使用してマスタ周波数を生成し、生成した前記マスタ周波数で送信するように構成されたマスタ無線周波（ＲＦ）送信機を備えるマスタノードと、
スレーブノードと、を備え、
前記スレーブノードは、
前記マスタノードと無線通信し、スレーブ周波数で受信するように構成されたチューナブルＲＦ受信機と、
前記チューナブルＲＦ受信機と通信するように構成されたＲＦ発振器であって、前記チューナブルＲＦ受信機にＲＦ発振器周波数を伝達して、前記スレーブ周波数を決定して同調させるように構成されたＲＦ発振器と、
前記チューナブルＲＦ受信機と通信するように構成された信号プロセッサと、を備え、
前記信号プロセッサは、あらかじめ定められたサーチ周波数帯域内で前記チューナブルＲＦ受信機の前記スレーブ周波数を同調させることによって前記マスタノードからの信号の受信を探索して初期検出マスタ周波数を提供するように前記チューナブルＲＦ受信機に指示するように更に構成され、
前記信号プロセッサは、前記マスタノードから前記初期検出マスタ周波数で較正信号を受信するように前記チューナブルＲＦ受信機に指示するように更に構成され、前記較正信号は時間情報と周波数情報の少なくとも一方又は両方を含んでおり、
前記信号プロセッサは、前記較正信号からの情報と前記ＲＦ発振器からの対応する信号とを比較して、前記較正信号に対する前記ＲＦ発振器周波数の周波数誤差を提供することにより、前記ＲＦ発振器周波数を前記マスタ周波数に同調させて、前記スレーブノードと前記マスタノードとの間の前記同調されたＲＦ発振器周波数での通信を可能にするように更に構成される無線ネットワーク。
【請求項２】
前記マスタクロックは、水晶又は微小電気機械システム（ＭＥＭｓ）発振器を備えること、前記ＲＦ発振器は、弛張発振回路またはＬＣ回路を備えること、前記チューナブルＲＦ受信機と前記ＲＦ発振器は、１つの半導体ダイ上のシングル・チップ半導体デバイスとして構成されること、または、それらの任意の組み合わせを特徴とする請求項１に記載の無線ネットワーク。
【請求項３】
前記シングル・チップ半導体デバイスは、相補型金属酸化膜半導体（ＣＭＯＳ）デバイスであること、前記スレーブノードは、前記チューナブルＲＦ受信機に電気的に接続されたアンテナを更に備え、さらに選択的に、前記アンテナが、前記１つの半導体ダイ上の前記シングル・チップ半導体デバイス上に設けられたこと、または、それらの任意の組み合わせを特徴とする請求項２に記載の無線ネットワーク。
【請求項４】
前記スレーブノードが、前記チューナブルＲＦ受信機及び前記ＲＦ発振器に電気的に接続されて前記スレーブノードに電力を供給するための電気エネルギー源を更に備えること、さらに選択的に、前記電気エネルギー源は、前記１つの半導体ダイ上の前記シングル・チップ半導体デバイス上における更なる構成物であること、さらに選択的に、前記スレーブノードは、前記電気エネルギー源に電気的に接続されたエネルギー蓄積構造を更に備えること、さらに選択的に、前記スレーブノードは、前記電気エネルギー源に電気的に接続されたエネルギー蓄積構造を更に備え、前記エネルギー蓄積構造は、前記シングル・チップ半導体デバイス上に印刷された薄膜電池であることを特徴とする請求項１から請求項３までのいずれかに記載の無線ネットワーク。
【請求項５】
前記マスタ周波数で受信するように構成されたマスタＲＦ受信機を更に備えること、前記同調されたＲＦ発振器周波数を記憶するために前記信号プロセッサと通信するように構成されたメモリデバイスを更に備えること、前記マスタノードと無線通信し、スレーブ周波数で送信するように構成されたチューナブルＲＦ送信機を更に備えること、または、それらの任意の組み合わせ、さらに選択的に、前記チューナブルＲＦ受信機の前記スレーブ周波数が、前記チューナブルＲＦ送信機の前記スレーブ周波数と実質的に同一であること、さらに選択的に、前記ＲＦ発振器は、前記チューナブルＲＦ受信機と通信するように構成された第１のＲＦ発振器と、前記チューナブルＲＦ送信機と通信するように構成された第２のＲＦ発振器と、を備え、前記第１及び第２のＲＦ発振器は、前記チューナブルＲＦ受信機の前記スレーブ周波数と前記チューナブルＲＦ送信機の前記スレーブ周波数とを決定して同調させるために、前記チューナブルＲＦ送信機と前記チューナブルＲＦ受信機とに周波数情報を伝達するように構成されることを特徴とする請求項１に記載の無線ネットワーク。
【請求項６】
前記信号プロセッサは、前記初期検出マスタ周波数よりも前記マスタ周波数により密接に一致する通信用周波数を計算するために、前記マスタノードからの前記較正信号からの情報と、前記ＲＦ発振器からの対応する信号とを比較することにより、前記ＲＦ発振器の周波数誤差を計算するように更に構成されること、前記スレーブノードは、前記チューナブルＲＦ受信機と通信して前記チューナブルＲＦ受信機にタイミング情報を提供するように構成されたローカルクロックを更に備えること、もしくは、前記較正信号は、前記マスタノードから前記スレーブノードに２つの異なる時点で送信される少なくとも２つのビーコン信号を含むこと、または、それらの任意の組み合わせを特徴とする請求項１に記載の無線ネットワーク。
【請求項７】
前記ローカルクロックは、前記マスタノードから較正信号を受信するように構成されており、前記較正信号は、前記ローカルクロックを前記マスタノードの前記マスタクロックに同調させるために、時間情報と周波数情報の少なくとも一方又は両方を含むこと、もしくは、前記ローカルクロックは、前記ＲＦ発振器の前記ＲＦ発振器周波数よりも低い周波数を有する低周波発振器を備えること、または、それらの両方であることを特徴とする請求項６に記載の無線ネットワーク。
【請求項８】
マスタ周波数で送信するように構成されたマスタノードと無線通信し、スレーブ周波数で受信するように構成されたチューナブル無線周波（ＲＦ）受信機と、
前記チューナブルＲＦ受信機と通信するように構成されたＲＦ発振器であって、前記チューナブルＲＦ受信機にＲＦ発振器周波数を伝達して、前記スレーブ周波数を決定して同調させるように構成されたＲＦ発振器と、
前記チューナブルＲＦ受信機と通信するように構成された信号プロセッサと、を備え、
前記信号プロセッサは、あらかじめ定められたサーチ周波数帯域内で前記チューナブルＲＦ受信機の前記スレーブ周波数を同調させることによって前記マスタノードからの信号の受信を探索して初期検出マスタ周波数を提供するように前記チューナブルＲＦ受信機に指示するように更に構成され、
前記信号プロセッサは、前記マスタノードから前記初期検出マスタ周波数で較正信号を受信するように前記チューナブルＲＦ受信機に指示するように更に構成され、前記較正信号は時間情報と周波数情報の少なくとも一方又は両方を含んでおり、
前記信号プロセッサは、前記較正信号からの情報と前記ＲＦ発振器からの対応する信号とを比較して、前記較正信号に対する前記ＲＦ発振器周波数の周波数誤差を提供することにより、前記ＲＦ発振器周波数を前記マスタノードの周波数に同調させて、前記スレーブノードと前記マスタノードとの間の前記同調されたＲＦ発振器周波数での通信を可能にするように更に構成される、無線ネットワークシステム用の無線スレーブノード。
【請求項９】
前記ＲＦ発振器は、弛張発振回路とＬＣ回路の少なくとも一方又は両方を備えること、前記チューナブルＲＦ受信機と前記ＲＦ発振器は、１つの半導体ダイ上のシングル・チップ半導体デバイスとして構成されること、もしくは、前記スレーブノードは、前記チューナブルＲＦ受信機に電気的に接続されたアンテナを更に備えること、または、それらの任意の組み合わせであることを特徴とする請求項８に記載の無線スレーブノード。
【請求項１０】
前記シングル・チップ半導体デバイスは、相補型金属酸化膜半導体（ＣＭＯＳ）デバイスであること、さらに選択的に、前記アンテナが、前記１つの半導体ダイ上の前記シングル・チップ半導体デバイス上に設けられたことを特徴とする請求項９に記載の無線スレーブノード。
【請求項１１】
前記スレーブノードが、前記チューナブルＲＦ受信機及び前記ＲＦ発振器に電気的に接続されて前記スレーブノードに電力を供給するための電気エネルギー源を更に備えること、さらに選択的に、前記電気エネルギー源は、前記１つの半導体ダイ上の前記シングル・チップ半導体デバイス上における更なる構成物であることを特徴とする請求項８から請求項１０までのいずれかに記載の無線スレーブノード。
【請求項１２】
前記電気エネルギー源に電気的に接続されたエネルギー蓄積構造を更に備えること、もしくは、前記電気エネルギー源に電気的に接続されたエネルギー蓄積構造を更に備え、前記エネルギー蓄積構造は、前記シングル・チップ半導体デバイス上に印刷された薄膜電池であること、または、それらの両方であることを特徴とする請求項１１に記載の無線スレーブノード。
【請求項１３】
前記同調されたＲＦ発振器周波数を記憶するために前記信号プロセッサと通信するように構成されたメモリデバイス、または、前記マスタノードと無線通信し、スレーブ周波数で送信するように構成されたチューナブルＲＦ送信機を更に備えること、もしくは、前記較正信号は、前記マスタノードから前記スレーブノードに２つの異なる時点で送信される少なくとも２つのビーコン信号を含むこと、または、それらの両方であることを特徴とする請求項８に記載の無線スレーブノード。
【請求項１４】
前記チューナブルＲＦ受信機の前記スレーブ周波数が、前記チューナブルＲＦ送信機の前記スレーブ周波数と実質的に同一である請求項１３に記載の無線スレーブノード。
【請求項１５】
前記ＲＦ発振器は、前記チューナブルＲＦ受信機と通信するように構成された第１のＲＦ発振器と、前記チューナブルＲＦ送信機と通信するように構成された第２のＲＦ発振器と、を備え、前記第１及び第２のＲＦ発振器は、前記チューナブルＲＦ受信機の前記スレーブ周波数と前記チューナブルＲＦ送信機の前記スレーブ周波数とを決定して同調させるために、前記チューナブルＲＦ送信機と前記チューナブルＲＦ受信機とに周波数情報を伝達するように構成される請求項１４に記載の無線スレーブノード。
【請求項１６】
前記信号プロセッサは、前記初期検出マスタ周波数よりも前記マスタ周波数により密接に一致する通信用周波数を計算するために、前記マスタノードからの前記較正信号からの情報と、前記ＲＦ発振器からの対応する信号とを比較することにより、前記ＲＦ発振器の周波数誤差を計算するように更に構成されること、もしくは、前記スレーブノードは、前記チューナブルＲＦ受信機と通信して前記チューナブルＲＦ受信機にタイミング情報を提供するように構成されたローカルクロックを更に備えること、または、それらの両方であることを特徴とする請求項８に記載の無線スレーブノード。
【請求項１７】
前記ローカルクロックは、前記マスタノードから較正信号を受信するように構成されており、前記較正信号は、前記ローカルクロックを前記マスタノードのマスタクロックに同調させるために、時間情報と周波数情報の少なくとも一方又は両方を含む請求項１６に記載の無線スレーブノード。
【請求項１８】
マスタノードと無線通信し、第１のスレーブ周波数で送信するように構成されたチューナブルＲＦ送信機と、
前記マスタノードと無線通信し、第２のスレーブ周波数で受信するように構成されたチューナブルＲＦ受信機と、
前記チューナブルＲＦ受信機及び前記チューナブルＲＦ送信機と通信するように構成されたＲＦ発振器であって、前記チューナブルＲＦ送信機及び前記チューナブルＲＦ受信機にＲＦ発振器周波数を伝達して、前記第１及び第２の前記スレーブ周波数を決定して同調させるように構成されたＲＦ発振器と、
前記ＲＦ発振器は、時間情報と周波数情報の少なくとも一方又は両方を備える較正情報を基準ノードから受信するように構成され、前記ＲＦ発振器の前記ＲＦ発振器周波数が前記基準ノードからの前記較正情報に基づいて同調されて、前記スレーブノードと前記マスタノードとの間の前記同調されたＲＦ発振器周波数での通信を可能にするように構成される、無線ネットワークシステム用の無線スレーブノード。
【請求項１９】
前記基準ノードからの前記較正情報は、前記マスタノードからの較正情報、ＧＰＳ信号からの較正情報、移動セルラ信号からの較正情報、ＦＭラジオ信号からの較正情報、テレビ信号からの較正情報、原子時計信号からの較正情報、又はそれらの任意の組合せを含むこと、さらに選択的に、前記第１のスレーブ周波数が、前記第２のスレーブ周波数と実質的に同一であることを特徴とする請求項１８に記載の無線スレーブノード。
【請求項２０】
スレーブノードの通信周波数をマスタノードの通信周波数に同調させる方法であって、前記マスタノードはマスタ周波数で送信するように構成されたマスタ無線周波（ＲＦ）送信機を備え、前記マスタ周波数はマスタクロックを使用して前記マスタノードによって生成され、
前記方法は、
前記スレーブノードによって、あらかじめ定められたサーチ周波数帯域内で前記スレーブノードのチューナブルＲＦ受信機のスレーブ周波数を同調させることによって前記マスタノードからの信号の受信を探索し、初期検出マスタ周波数を提供するステップであって、前記スレーブ周波数は、前記スレーブノードにおけるＲＦ発振器により提供されるＲＦ周波数に対応したステップと、
前記スレーブノードによって、前記マスタノードから前記初期検出マスタ周波数で較正信号を受信するステップであって、前記較正信号は時間情報と周波数情報の少なくとも一方又は両方を含むステップと、
前記スレーブノードによって、時間情報と周波数情報の少なくとも一方又は両方を含む前記較正信号と前記スレーブ周波数との間の周波数誤差を決定するステップと、
前記スレーブノードによって、前記周波数誤差に基づいて前記スレーブ周波数を前記マスタノードの周波数に同調させて、前記スレーブノードと前記マスタノードとの間の前記同調されたスレーブ周波数での通信を可能にするステップと、を備える方法。
【請求項２１】
前記較正信号と前記スレーブ周波数との間の前記周波数誤差を決定するステップは、前記初期検出マスタ周波数よりも前記マスタ周波数により密接に一致する通信用周波数を計算するために、前記マスタノードからの前記較正信号からの情報と、前記ＲＦ発振器からの対応する信号とを比較することにより、前記ＲＦ発振器の周波数誤差を計算するステップ、もしくは、前記スレーブ周波数を前記マスタノードの周波数に同調させるステップは、前記較正信号と前記スレーブ周波数との間の前記周波数誤差を補正するステップ、または、それらの両方を備える請求項２０に記載の方法。
【請求項２２】
マスタノードからＲＦ較正情報を送信するステップと、
あらかじめ選択された周波数帯域内でスレーブノードのＲＦ受信機を同調させて、前記マスタノードから前記ＲＦ較正情報を受信するステップと、
前記マスタノードからの前記ＲＦ較正情報を使用して前記スレーブノードのＲＦ送信機を同調させるステップと、
前記ＲＦ送信機を同調させるステップに続いて前記スレーブノードからローカル情報を送信するステップであって、少なくとも前記マスタノード又は少なくとも１つの他のスレーブノードが前記ローカル情報を受信することができるようにするステップと、を備え、
前記スレーブノードの前記ＲＦ送信機を同調させるステップは、前記スレーブノードのＲＦ発振器を同調させるステップを備える、無線ネットワークを介して通信する方法。
【請求項２３】
前記マスタノードから前記ＲＦ較正情報を受信するために、前記あらかじめ選択された周波数帯域内で第２のスレーブノードのＲＦ受信機を同調させるステップであって、前記第２のスレーブノードの前記ＲＦ送信機を同調させるステップは、前記第２のスレーブノードのＲＦ発振器を同調させるステップであり、かつ、前記ＲＦ発振器を同調させるステップは、前記マスタノードからの前記ＲＦ較正情報に基づいて前記ＲＦ発振器の周波数を同調させて、少なくとも前記スレーブノードと前記マスタノードとの間の前記同調されたＲＦ発振器周波数での通信を可能にするステップを備えるステップと、
前記対応するＲＦ送信機を同調させるステップに続いて、前記第１に述べたスレーブノード又は前記第２のスレーブノードのうちの少なくとも１つからローカル情報を送信するステップであって、ローカル情報がそれらの間で送信されるようにするステップと、を更に備える請求項２２に記載の方法。